(57)【要約】【課題】光ディスク及び光ディスク再生装置において、特別な暗号技術を使用することなく、光ディスクに記録されたコンテンツのコピーを確実に防止する。【解決手段】光ディスク２の本体に記録されたコンテンツの再生の制御に必要なディスク管理情報を、（ｂ）に示される最内周トラック２９ではなく、無線ICタグ３に記録するようにした。これにより、光ディスク２の本体のコンテンツ内容が違法にコピーされたとしても、無線ICタグ３内のディスク管理情報はコピーされないので、コピー先の光ディスクを用いてコンテンツを再生することができない。【選択図】図４
2005339666.tif 000002
【特許請求の範囲】
【請求項１】
無線ICタグを有する光ディスクにおいて、
前記無線ICタグは、ディスク本体におけるコンテンツの記録されていないクランピングエリア又は前記ディスク本体における光照射側と反対側のディスク面（以下、レーベル面という）に貼り付けられた状態、又は前記ディスク本体の基板内に埋め込まれた状態で、前記ディスク本体に配設されており、
前記クランピングエリア又は前記レーベル面に、前記無線ICタグ用の円周状のアンテナを有し、
前記ディスク本体に記録されたコンテンツの再生の制御に必要なディスク管理情報が前記ディスク本体の最内周部分の領域ではなく、前記無線ICタグに記録されていることを特徴とする光ディスク。
【請求項２】
無線ICタグを有する光ディスクにおいて、
ディスク本体に記録されたコンテンツの再生時に必要な制御情報を含むディスク管理情報が前記ディスク本体ではなく、前記無線ICタグに記録されていることを特徴とする光ディスク。
【請求項３】
請求項１又は請求項２に記載の光ディスクに設けられた無線ICタグ内に記録されたディスク管理情報を読み出すためのリーダ装置と、
請求項１又は請求項2に記載の光ディスクのディスク本体に記録されたコンテンツを再生する再生手段と、
前記リーダ装置及び前記再生手段を制御する制御手段とを備え、
前記制御手段は、前記リーダ装置によって前記無線ICタグから読み出したディスク管理情報に基づいて、前記再生手段によるコンテンツの再生を制御することを特徴とする光ディスク再生装置。
【発明の詳細な説明】
【技術分野】
【０００１】
本発明は、DVD(Digital  Versatile  Disc)やCD(Compact  Disc)等の光ディスクに記録されたコンテンツのコピー防止技術に関するものである。
【背景技術】
【０００２】
現在のCD,DVDの急速な発展で、光ディスクのコンテンツとして膨大な音楽ソフト、ビデオソフト、コンピュータソフト等が普及している。これに伴い不正コピーの問題が浮上し、著作権保護対策として各コンテンツメディアとも暗号キーをつける等のコピープロテクトが積極的に行われている。
【０００３】
一方、最近、非接触通信技術の応用として非接触ICカードが実用化されてきており、ICタグチップとして、例えばRFID（Radio  Frequency  Identification：無線周波数による非接触自動識別技術）チップ等があり、これらを含め、今後、超小型で、非接触で記録情報が読み取れ、無電池で動作する無線ICタグの利用展開が大いに期待されている。
【０００４】
この超小型で、非接触で記録情報が読み取れ、無電池で動作する特徴を生かし、無線ICタグを光ディスクと組み合わせ、CD、DVDのコンテンツのコピー防止に利用することが考えられている。例えば、CDやDVD等のデジタル記録媒体のコンテンツ記録エリアとは別の場所にRFIDチップを埋め込み、記録エリアの暗号化されたコンテンツをRFIDチップに記録された復合化鍵でコンテンツの再生を行うものが知られている（特許文献１参照）。また、パソコン用のソフトウェアの不正コピー防止方法において、暗号化されたソフトウェアを記録している光ディスクに、暗号を解除するための復号キーを記録したICタグを埋め込み、ソフトウェアをインストールする時にICタグの復号キーで暗号を解除して不正コピーを防止するものが知られている（特許文献２参照）。
【０００５】
従来は、CD,DVD等の光ディスクでは、光ディスクの再生に必要な情報は、コンテンツが記録されている同じディスク上に記録されていた。従って、光ピックアップにより読み出した情報は、例え暗号化されていても、暗号化コンテンツ情報として取り出すことができ、仮に復号化キーが解読されれば、コンテンツは簡単に復号される危険性がある。暗号技術は、コンピュータの技術進歩による高速高性能化により、解読される危険性を常に抱えている。
【特許文献１】特開２００３−１８７５２４号公報
【特許文献２】特開２００２−３７３０２９号公報
【発明の開示】
【発明が解決しようとする課題】
【０００６】
本発明は、上記の問題を解決するためになされたものであり、特別な暗号技術を使用することなく、光ディスクに記録されたコンテンツのコピーを確実に防止することが可能な、無線ICタグを有する光ディスク及び光ディスク再生装置を提供することを目的とする。
【課題を解決するための手段】
【０００７】
上記目的を達成するために請求項１の発明は、無線ICタグを有する光ディスクにおいて、前記無線ICタグは、ディスク本体におけるコンテンツの記録されていないクランピングエリア又は前記ディスク本体における光照射側と反対側のディスク面（以下、レーベル面という）に貼り付けられた状態、又は前記ディスク本体の基板内に埋め込まれた状態で、前記ディスク本体に配設されており、前記クランピングエリア又は前記レーベル面に、前記無線ICタグ用の円周状のアンテナを有し、前記ディスク本体に記録されたコンテンツの再生の制御に必要なディスク管理情報が前記ディスク本体の最内周部分の領域ではなく、前記無線ICタグに記録されるようにしたものである。
【０００８】
請求項２の発明は、無線ICタグを有する光ディスクにおいて、ディスク本体に記録されたコンテンツの再生時に必要な制御情報を含むディスク管理情報が前記ディスク本体ではなく、前記無線ICタグに記録されるようにしたものである。
【０００９】
請求項３の発明は、請求項１又は請求項２に記載の光ディスクに設けられた無線ICタグ内に記録されたディスク管理情報を読み出すためのリーダ装置と、請求項１又は請求項2に記載の光ディスクのディスク本体に記録されたコンテンツを再生する再生手段と、前記リーダ装置及び前記再生手段を制御する制御手段とを備え、前記制御手段は、前記リーダ装置によって前記無線ICタグから読み出したディスク管理情報に基づいて、前記再生手段によるコンテンツの再生を制御する光ディスク再生装置である。
【発明の効果】
【００１０】
請求項１の発明によれば、ディスク本体に記録されたコンテンツの再生の制御に必要なディスク管理情報を、ディスク本体の最内周部分の領域ではなく、無線ICタグに記録するようにした。これにより、このディスク本体に記録されたコンテンツを、従来の無線ICタグリーダ機能を持たない光ディスク再生装置で再生しようとしても、ディスク本体には、ディスク管理情報が存在しないので、コンテンツを再生することはできない。このことは、例え、何らかの形でディスク本体のコンテンツ内容が違法にコピーされたとしても、無線ICタグ内のディスク管理情報はコピーされないので、コピー先のディスクにはディスク管理情報がなく、この光ディスクに記録されたコンテンツを再生することができないということにつながる。従って、特別な暗号技術を使用することなく、光ディスクに記録されたコンテンツのコピーを確実に防止することができる。
【００１１】
請求項２の発明によれば、ディスク本体に記録されたコンテンツの再生時に必要な制御情報を含むディスク管理情報を、ディスク本体ではなく、無線ICタグに記録するようにした。これにより、上記請求項１と同様な効果を得ることができる。
【００１２】
請求項３の発明によれば、光ディスクに設けられた無線ICタグ内に記録されたディスク管理情報を読み出すためのリーダ装置を設けたことにより、無線ICタグ内のディスク管理情報を読み出し、このディスク管理情報を用いて光ディスクのコンテンツを再生することができる。即ち、この無線ICタグのリーダ装置を持つ光ディスク再生装置と、請求項１又は請求項２に記載の無線ICタグを有する光ディスクとにより、上記請求項１に記載したように、正規のコンテンツ（不正コピーしていない）の再生は可能であるが、不正規のコンテンツは再生できないようにして、光ディスクに記録されたコンテンツのコピー防止を実現することができる。
【発明を実施するための最良の形態】
【００１３】
以下、図面を参照して本発明の実施の形態を説明する。図１は、本実施形態による無線ICタグ３を有する光ディスク２と、無線ICタグリーダ付き光ディスク再生装置１（以下、光ディスク再生装置と略す）とを示す。光ディスク再生装置１には無線ICタグリーダ装置５が内蔵されており、光ディスク２の表面には、無線ICタグ３と、この無線ICタグ３に接続されて光ディスク面上で円周状に形成されたアンテナ４とが配設されている。
【００１４】
図２は、上記光ディスク再生装置１の電気ブロック図を示す。同図で、無線ICタグ３を有する光ディスク２が光ディスク再生装置１に挿入されると、光ディスク２に装着された無線ICタグ３に記録されているディスク管理情報は、無線ICタグ３の近傍に配置された無線ICタグリーダ装置５により、無線交信を通じて読み取られる。無線ICタグリーダ装置５内のアンテナ（図示していない）は、送受信感度を高めるため、光ディスク２の面と平行で、そのアンテナの中心が、空間的に光ディスク２の円盤の中心軸上にくるように配置されている。無線ICタグリーダ装置５により読み取られたディスク管理情報は、無線ICタグリーダ装置５から全体制御部１０に送られる。全体制御部１０は、このディスク管理情報を用いて、光ディスク再生装置１の再生動作をスタートさせ、光ディスク２内に記録された情報を読み取とって、正規のコンテンツ情報を再生する。なお、信号処理部７は、RF増幅部１２で増幅された光ピックアップ６からのRF信号を基に、フォーカス制御信号、トラッキング制御信号を生成してサーボ制御部８を制御する。情報再生部９は、RF信号から映像、音声情報を再生するデコーダである。全体制御部１０は、上記機能に加え、スピンドルモータ１３、移動モータ部１５、レーザ駆動部１４、信号処理部７、サーボ制御部８、情報再生部９、及び制御に必要な情報を記憶するメモリ１１等を制御して、装置全体のコントロールを行う。
【００１５】
図３（a）、（b）は、上記光ディスク２におけるディスク本体２１、無線ICタグ３、アンテナ４等の関係を説明する図である。図３（a）において、光ディスク２のディスク本体２１は、ここでは２層ディスクの構造を示しており、２２a、２２bはディスク本体２１の両面に設けられた基板で、２４a、２４bは２層の記録層であり、２３は記録層２４a、２４bの間に設けられたスペース層である。２５はディスク本体２１のセンターに設けられたセンターホールで、２６はディスク本体２１内で記録に使用されないクランピングエリアである。無線ICタグ３は、レーザ光が照射される記録面２８と反対側のレーベル面２７上であればどこに配してもよいが、ここではクランピングエリア２６面上に装着している。アンテナ４もレーベル面２７上ではどこに配してもよいが、ここではクランピングエリア２６面上に配されている。アンテナ４と無線ICタグ３は電気的に接続されており、無線ICタグ３はアンテナ４を介して情報を送受信する。無線ICタグ３はレーベル面２７の表面に装着しているが、ディスク本体２１の内部、例えば基板２２a等に埋め込むことも可能であり、アンテナ４も同様に埋め込むことができる。
【００１６】
図３（b）は、図３(a)に示される光ディスク２の平面図である。図中のアンテナ４は、金属を表面に印刷して形成したものであってもよい。また、本アンテナ４は、円周上に形成されているので、光ディスク２が回転しても、電波の輻射する方向がディスク中心軸に沿って同一方向なので、このディスク中心軸上に無線ICタグリーダ装置５内のアンテナ（図示していない）を設けたことにより、無線ICタグ３に記録されたデータの送受信において、電波の変動が少ない安定した送受信を実現することができる。
【００１７】
次に、図４（a）、(b)を参照して、上記無線ICタグ３を備えた光ディスク２において、ディスク管理情報が記録される無線ICタグ３とディスク本体２１との関係を説明する。図４（a）は、従来の光ディスク１０２で、最内周トラック１２９（図４（a）中の線ハッチング部）にコンテンツの再生の制御に必要なディスク管理情報が記録されている。従来の光ディスク再生装置は、このディスク管理情報を先ず読み取って、このディスク管理情報を用いてコンテンツの再生を行う。従って、このディスク管理情報なしにはコンテンツの再生はできない。
【００１８】
図４（b）は、本発明の無線ICタグ３を備えた光ディスク２を示しており、光ディスク２の最内周トラック２９（図３(ｂ)中の点ハッチング部、トラック面は紙面の裏側）には、コンテンツの再生の制御に必要なディスク管理情報が存在せず、ディスク管理情報は無線ICタグ３にのみ記録されている。即ち、本実施形態による無線ICタグ３を有する光ディスク２を、従来の無線ICタグ３のリーダ装置５を持たない光ディスク再生装置で再生しようとしても、本光ディスク２には、ディスク管理情報が存在しないので、コンテンツを全く再生することができない。
【００１９】
以上述べたように、本実施形態による無線ICタグ付き光ディスク２と無線ICタグリーダ付き光ディスク再生装置１によれば、ディスク管理情報を光ディスク２に記録せず、無線ICタグ３にディスク管理情報を記録し、このディスク管理情報を光ディスク再生装置１の専用のリーダ装置５で読み出すようにした。このような構成にしたことにより、仮に、何らかの形でディスク本体２１のコンテンツが違法にコピーされたとしても、無線ICタグ３内のディスク管理情報はコピーされないので、違法にコピーされたコンテンツを再生することができない。このため、極めて強いコピー制限を行うことができる。
【００２０】
なお、本発明は、上記実施形態に限られるものではなく、様々な変形が可能である。例えば、上述の実施形態では無線ICタグ３とアンテナ４をレーベル面２７のクランピングエリア２６に表面に装着しているが、レーベル面２７上であればどこでもよい。また、無線ICタグ３をディスク本体２１のレーベル面２７近傍の基板２２a内に埋め込んでもよい。この場合、無線ICタグ３が基板２２aで保護されることになり、簡単に取り外されず、実質的に安全で確実な無線ICタグ３の実装ができる。さらに、アンテナ４の形は、必ずしも円形である必要はなく、多角形等でもよく、光ディスク２の中心に対称な形で形成されていればよい。また、光ディスク再生装置１側の無線ICタグリーダ装置５内のアンテナも、無線ICタグ３内のアンテナ４と同じく、光ディスク２の中心軸上に対称に円形又は多角形等で構成すれば、送受信感度が向上し、より安定した装置の制御を行うことができる。
【００２１】
また、無線ICタグ内に記録される情報を別途暗号化することにより、一層強固なコピー防止を行うことができる。さらに、ICタグ内に記録する情報として、ディスク管理情報以外の情報を記録させることにより、新たなサービスを付加することも可能である。
【図面の簡単な説明】
【００２２】
【図１】本発明の一実施形態に係る無線ICタグのリーダ付き光ディスク装置の外観図。
【図２】上記光ディスク装置の電気的ブロック図。
【図３】(a),(b)は、それぞれ無線ICタグを装着した光ディスクの斜視図と平面図。
【図４】(a),(b)は、それぞれ従来の光ディスクと上記光ディスクにおけるディスク管理情報の格納場所の説明図。
【符号の説明】
【００２３】
１    無線ICタグリーダ付き光ディスク再生装置
２    無線ICタグを有する光ディスク
３    無線ICタグ
４    アンテナ
５    無線ICタグリーダ装置
１０  全体制御部
２１  ディスク本体
２６  クランピングエリア
２７  レーベル面
２８  記録面
２９  最内周トラック
２２a、２２b  ディスク基板
【図１】
2005339666.tif 000003
【図２】
2005339666.tif 000004
【図３】
2005339666.tif 000005
【図４】
2005339666.tif 000006